(57)【要約】【課題】洗濯物を出し入れする際の洗濯物の引っ掛かりと、洗濯物の出し忘れを防止できる洗濯乾燥機を提供すること。【解決手段】水槽２の上端に水槽カバー２１を固定し、内開口部２４を内蓋３１で開閉する。内蓋３１の水槽２内を臨む側に、先端が前側に屈曲した係止爪３５を設け、板バネ３７で先端向きに付勢する。係止爪３５の先端が、水槽カバーの内開口部２４の前側部分の縁に係止して、内蓋３１が閉じた状態が保持される。内蓋３１の上側面の把手３４が上方に揺動すると、駆動部材３４ａが内蓋の貫通穴３１ａ内を通って係止爪の板部材３８に当接し、この係止爪３５を駆動して、係止爪３５の水槽カバーへの係止を解除する。水槽カバーの内開口部２４の縁部に、上方に突出した被係止部材が無いので洗濯物の引っ掛かりを防止できる。水槽カバーの内開口部２４の縁部に、弦状の張り出し部が無いので洗濯槽３内の視認性を向上できて、洗濯物の出し忘れを防止できる。【選択図】図４
2008036259.tif 000002
【特許請求の範囲】
【請求項１】
第１開口部を有する外箱と、
上記外箱内に配置された外槽と、
上記外槽に設けられ、上記第１開口部に対向する第２開口部を有する外槽カバーと、
上記外槽カバーの第２開口部を開閉する外槽蓋と、
上記外槽カバー及び外槽蓋の上記外槽内を臨む側に設けられ、上記第２開口部を閉じた外槽蓋を外槽カバーに係止させる係止部と、
上記外槽蓋の上記第１開口部を臨む側に設けられ、上記外槽蓋の外槽カバーへの係止を解除する解除部と、
上記外槽内に回転自在に配置された内槽と、
を備えることを特徴とする洗濯機。
【請求項２】
請求項１に記載の洗濯機において、
上記内槽は、上記外槽カバーの第２開口部に対向する第３開口部を有し、
上記外槽カバーの第２開口部の縁は、上記係止部の構成部品が設けられた部分が、平面視において、上記内槽の第３開口部よりも外側に配置されていることを特徴とする洗濯機。
【請求項３】
請求項１に記載の洗濯機において、
上記係止部は、
上記外槽蓋に設けられた係止部材と、
上記外槽カバーの第２開口部の縁に設けられ、上記係止部材に係止される被係止部材と、
上記外槽蓋に設けられ、上記係止部材を被係止部材側に付勢する付勢部材と
を有することを特徴とする洗濯機。
【請求項４】
請求項３に記載の洗濯機において、
上記外槽蓋は、上記係止部材の近傍に形成された貫通穴を有し、
上記係止部は、上記係止部材に連結され、かつ、上記係止部材が付勢部材で付勢されるに伴って上記外槽蓋の貫通穴を塞ぐように形成された板部材を有する
ことを特徴とする洗濯機。
【発明の詳細な説明】
【技術分野】
【０００１】
本発明は、外槽カバー及び外槽蓋で密閉される外槽と、この外槽内に回転自在に配置された内槽とを備えた洗濯乾燥機に関する。
【背景技術】
【０００２】
従来より、この種の洗濯乾燥機としては、図１の模式縦断面図に示すようなものがある。この洗濯乾燥機は、外箱１内に水槽２を配置し、この水槽２内に、洗濯槽４を鉛直軸回りに回転自在に配置している（例えば、特開２００３−１６９９９０号公報参照）。上記外箱１の上面に外開口部１１を設け、この外開口部１１を外蓋１２で開閉している。また、上記水槽２の上端に、内開口部１２４を有する水槽カバー１２１を固定して、この水槽カバーの内開口部１２４を内蓋１３１で開閉している。上記洗濯槽４内に洗濯物が投入され、上記内蓋１３１が内開口部１２４を閉じて水槽２を密閉した状態で、洗濯、すすぎ及び脱水運転を行うようになっている。また、上記水槽２を密閉した状態で、この水槽２に乾燥ユニット５から温風を供給して、乾燥運転を行うようになっている。
【０００３】
図５は、従来の水槽カバー１２１及び内蓋１３１を示す平面図である。図６Ａは、上記内蓋１３１を示す平面図であり、図６Ｂは、上記水槽カバー１２１の前側部分を示す平面図である。図５、６Ａ及び６Ｂにおいて、紙面の下側が洗濯乾燥機の前側であり、紙面の上側が洗濯乾燥機の背面側である。
【０００４】
上記水槽カバー１２１は略円形の外側縁を有し、前側に、大略半円形状の内開口部１２４が形成されている。この内開口部１２４の縁に沿って、パッキン２９が設けられている。水槽カバー１２１の上記内開口部１２４よりも背面側の部分には、給気管５１が連結される給気口２６と、図示しない給水管が連結される給水口２７が形成されている。また、上記内開口部１２４の背面側の両端に、上記内蓋１３１の回動軸が連結される２つの軸連結部２８,２８が設けられている。この水槽カバー１２１の前側部分の表面には、図６Ｂに示すように、上方に突出して前後に延びる２つのリブ１２６，１２６が互いに平行に設けられている。この２つのリブ１２６，１２６の内開口部１２４側の端部に、内蓋１３１に係止される棒状の被係止部材１２７が設けられている。この被係止部材１２７は、上記リブ１２６の上端から上方に突出して形成されている。また、この被係止部材１２７は、平面視において、内開口部１２４の前側の縁が内開口部１２４の内側に張り出した弦状の縁部に、設けられている。
【０００５】
上記内蓋１３１は、平面視において大略半円形状を有し、水槽２側に突出するフランジ３９が外縁に沿って形成されている。この内蓋１３１の背面側の縁部の両端近傍には、２つの回動軸アーム３２，３２が設けられている。この回動軸アーム３２の先端に形成された回動軸３２ａが、上記水槽カバー１２１の軸連結部２８に連結されている。上記回動軸３２ａ回りに内蓋１３１が回動して、上記内開口部１２４を開閉するようになっている。この内蓋１３１の前側の縁部には、開閉の操作の際に操作者に把持される把手１３４が設けられている。内蓋１３１の中央よりも把手側１３４寄りの位置に、乾燥運転時に水槽２内の排気を行う排気口３３が設けられている。
【０００６】
図７は、上記水槽カバー１２１と内蓋１３１の前側部分を拡大して示した縦断面図である。図７において、紙面の下側が洗濯乾燥機の前側であり、紙面の上側が洗濯乾燥機の背面側である。図７に示すように、上記内蓋１３１の前側の縁部に、把手１３４と係止爪１３５が設けられている。
【０００７】
上記係止爪１３５は、回動中心Ｂ回りに回動自在に支持されていると共に、上記回動中心Ｂから前側に突出するアーム部１３６が一体に形成されている。また、この係止爪１３５は、先端が前側に屈曲した鉤型に形成されており、この係止爪１３５と一体に形成された板バネ１３７によって先端向きに付勢されている。上記把手１３４は、上記係止爪１３５の回動中心Ｂと同一の回動中心Ｂ回りに回動自在に支持されている。
【０００８】
上記内蓋１３１が水槽カバー１２１の内開口部１２４を閉じたとき、上記内蓋１３１の係止爪１３５が、上記水槽カバー１２１の被係止部材１２７に係止して、上記内蓋１３１の閉じ状態を保持するようになっている。このとき、水槽カバー１２１のパッキン２９に、上記内蓋１３１のフランジ３９の先端が密着して、水槽２を密閉するようになっている。
【０００９】
一方、上記水槽カバー１２１の内開口部１２４を開くとき、上記把手１３４が上方に回動駆動され、この把手１３４の前側端部が係止爪のアーム部１３６に当接して、係止爪１３５が回動中心Ｂの反時計回りに回動する。これにより、係止爪１３５の先端と被係止部材１２７との係止が解除され、上記内蓋１３１が回動軸３２ａ回りに上方に回動して、上記内開口部１２４を開放するようになっている。
【００１０】
上記従来の洗濯乾燥機は、次のような問題がある。すなわち、上記水槽カバー１２１の前側部分に、内開口部１２４に近接して被係止部材１２７が上方に突出しているので、内開口部１２４を通して洗濯槽４内に洗濯物を出し入れするときに被係止部材１２７に洗濯物が引っ掛かるという問題がある。また、上記被係止部材１２７が設けられた内開口部１２４の縁部が、内側に向かって弦状に張り出しているので、この内開口部１２４の弦状の縁部が邪魔になって、洗濯槽４内の視認がし難い。したがって、洗濯槽４の底の前側に洗濯物が残留している場合、この洗濯物が視認され難くて、出し忘れを招くという問題がある。洗濯物の出し忘れの問題は、洗濯物が例えば靴下等のような比較的小さい場合に、特に生じやすくなる。
【特許文献１】特開２００３−１６９９９０号公報
【発明の開示】
【発明が解決しようとする課題】
【００１１】
そこで、この発明の課題は、洗濯物を出し入れする際の洗濯物の引っ掛かりを防止でき、また、洗濯物の出し忘れを防止できる洗濯機を提供することにある。
【課題を解決するための手段】
【００１２】
上記課題を解決するため、この発明の洗濯機は、
第１開口部を有する外箱と、
上記外箱内に配置された外槽と、
上記外槽に設けられ、上記第１開口部に対向する第２開口部を有する外槽カバーと、
上記外槽カバーの第２開口部を開閉する外槽蓋と、
上記外槽カバー及び外槽蓋の上記外槽内を臨む側に設けられ、上記第２開口部を閉じた外槽蓋を外槽カバーに係止させる係止部と、
上記外槽蓋の上記第１開口部を臨む側に設けられ、上記外槽蓋の外槽カバーへの係止を解除する解除部と、
上記外槽内に回転自在に配置された内槽と、
上記内槽に水を供給する給水部と、
上記内槽に温風を供給する温風供給部と
を備えることを特徴としている。
【００１３】
上記構成の洗濯機によれば、上記係止部は、上記外槽カバー及び外槽蓋に、上記内槽内を臨む側に設けられているので、従来のように係止部を構成する部材が、第２開口部の縁の近傍に第１開口部側に突出することがない。したがって、上記第２開口部を通して内槽内に洗濯物を出し入れするときに、係止部の構成部材に洗濯物が引っ掛かる不都合を防止できる。
【００１４】
また、上記係止部は、上記外槽カバー及び外槽蓋の上記内槽内を臨む側に設けられているので、この係止部を構成する外槽カバー側の部材を、外槽カバーの平面視において、第２開口部の縁よりも外側に配置する必要がない。したがって、従来のように係止部の構成部材を配置するために第２開口部の縁を内側に張り出して形成する必要が無いので、張り出した縁部によって内槽内が視認し難くなる不都合を防止できる。
【００１５】
一実施形態の洗濯機は、上記内槽は、上記外槽カバーの第２開口部に対向する第３開口部を有し、
上記外槽カバーの第２開口部の縁は、上記係止部の構成部品が設けられた部分が、平面視において、上記内槽の第３開口部よりも外側に配置されている。
【００１６】
上記実施形態によれば、上記第２開口部と第３開口部を通して内槽内に洗濯物を投入する際、上記外槽カバーの第２開口部の縁の部分であって、上記係止部の構成部分が設けられた部分が邪魔になることを防止できる。また、上記第２開口部と第３開口部を通して、内槽内が底に至るまで良好に視認されるので、内槽内の洗濯物の出し忘れ等の不都合を効果的に防止できる。
【００１７】
一実施形態の洗濯機は、上記係止部は、
上記外槽蓋に設けられた係止部材と、
上記外槽カバーの第２開口部の縁に設けられ、上記係止部材に係止される被係止部材と、
上記外槽蓋に設けられ、上記係止部材を被係止部材側に付勢する付勢部材と
を有する。
【００１８】
上記実施形態によれば、上記係止部材と付勢部材を外槽蓋に設け、上記被係止部材を外槽カバーの第２開口部の縁に設けることにより、この第２開口部の縁が平面視において内側に張り出すことを効果的に防止できる。特に、上記第２開口部の縁の上記外槽内を臨む角部を、被係止部材として用いるのが好ましい。
【００１９】
一実施形態の洗濯機は、上記外槽蓋は、上記係止部材の近傍に形成された貫通穴を有し、
上記係止部は、上記係止部材に連結され、かつ、上記係止部材が付勢部材で付勢されるに伴って上記外槽蓋の貫通穴を塞ぐように形成された板部材を有する。
【００２０】
上記実施形態によれば、上記外槽蓋が第２開口部を閉じたときに、外槽から温風が漏れにくい構成とできるとともに、洗濯物の引っ掛かりの防止と洗濯物の出し忘れの防止を行うことができる。
【発明の効果】
【００２１】
本発明の洗濯乾燥機によれば、外槽蓋を外槽カバーに係止する係止部が、外槽内を臨む側に設けられているので、係止部の構成部材が第２開口部の縁の近傍で第１開口部側に突出することや、係止部の構成部材を配置するために第２開口部の縁が内側に張り出すことを防止できる。その結果、係止部の構成部材に洗濯物が引っ掛かる不都合や、張り出した縁部によって内槽内が視認難くなる不都合を防止できる。
【００２２】
また、係止部材と付勢部材を外槽蓋に設け、被係止部材を外槽カバーの第２開口部の縁に設けることにより、第２開口部の縁が内側に張り出すことを効果的に防止できる。
【００２３】
また、係止部の板部材が、付勢部材によって外槽蓋の貫通穴を塞ぐように形成することにより、上記外槽蓋が第２開口部を閉じたときに、外槽から温風が漏れにくい構成とすることができる。
【発明を実施するための最良の形態】
【００２４】
以下、本発明の洗濯乾燥機を図示の実施形態により詳細に説明する。
【００２５】
本実施形態の洗濯乾燥機は、水槽カバー１２１と内蓋１３１以外は図１と同様の構成を有する。本実施形態の洗濯乾燥機と共通する部分については、図１を参照して説明する。
【００２６】
本実施形態の洗濯乾燥機は、略直方体の外箱１と、この外箱１内に配置された有底円筒形状の外槽としての水槽２と、この水槽２内に回転自在に配置され、洗濯物を収容する有底円筒形状の内槽としての洗濯槽４と、この洗濯槽４の底に回転自在に配置されたパルセータ４１と、上記水槽２の底の外側に装着され、上記洗濯槽４及びパルセータ４１を夫々独立して回転駆動するモータ６とを備えている。上記モータ６の出力軸に連結されたクラッチ６１によって、洗濯槽４又はパルセータ４１を切り替えて駆動するように形成されている。
【００２７】
上記外箱１の上面には、第１開口部としての外開口部１１が設けられており、この外開口部１１に外蓋１２が設けられている。この外蓋１２は、外開口部１１の背面側縁にヒンジを介して回動自在に取り付けられている。上記外開口部１１の縁には、水槽２側に向かって下方に延びる内側壁１３が連なっており、この内側壁１３の下端は、後述する水槽カバー２１の内開口部２４を取り囲むように形成されている。
【００２８】
上記外箱１内の上部の前側には、この洗濯乾燥機の動作を制御する制御装置が収納された電装品箱１４が配置されている。上記外箱１の上面の前側に、上記電装品箱１４内の制御装置に対して入出力を行う操作パネルが設けられている。この操作パネルには、洗濯乾燥機の動作設定の入力や起動又は停止の入力を操作者から受ける操作ボタンと、設定内容や動作状況を表示する表示部が配列されている。
【００２９】
上記水槽２は、振動吸収機能を有するサスペンション９によって外箱１内に吊り下げられている。この水槽２は、図示しない給水部で供給された水を貯留するようになっている。この給水部は、水道管からの水の供給をオンオフする給水弁と、この給水弁の下流側に接続されて、後述する水槽カバー２１の給水口２７に連結される給水管とを含んでいる。この水槽２の底には、この水槽２及び洗濯槽４の中の水を外箱１外に排出するための排水管８が設けられている。この排水管８には、電磁的に開閉駆動される排水弁８１が介設されている。
【００３０】
上記水槽２の上端には、外槽カバーとしての水槽カバー２１が固定されている。この水槽カバー２１は、第２開口部としての内開口部２４を有し、この内開口部２４を開閉する外槽蓋としての内蓋３１が設けられている。この内蓋３１は、上記内開口部２４の背面側の縁部に位置する回動軸３２ａ回りに回動自在に形成されている。この内蓋３１が内開口部２４を閉じたとき、水槽２内を臨む側に設けられた係止部によって、内蓋３１が水槽カバー２１に係止される。上記水槽カバー２１、内蓋３１及び係止部の詳細については、後述する。
【００３１】
上記洗濯槽４は有底円筒形状を有し、その周面には図示しない小孔が多数設けられている。この周面の小孔を通して、洗濯槽４の内部と、洗濯槽４の外部かつ水槽２の内部とが連通するようになっている。この洗濯槽４の上端縁には、振動を抑制するための環状のバランサ４２が装着されている。この環状のバランサ４２の内側に、洗濯槽４の開口部４５が形成されている。洗濯及びすすぎ運転時には、上記洗濯槽４は停止する一方、パルセータ４１が回転して、洗濯槽４内部に水の回転流れを生成する。脱水運転時には、上記洗濯槽４及びパルセータ４１が同時に高速回転して、遠心力によって洗濯物から水を取り除く。洗濯物から取り除かれた水は、上記洗濯槽４の周面の小孔から水槽２内に排出されるようになっている。
【００３２】
上記外箱１内の上部の背面側には、温風供給部としての乾燥ユニット５が設けられている。この乾燥ユニット５は、図示しないヒータ、ファン、ファンモータ及びサーモスタットを含んで構成されている。この乾燥ユニット５は、上記ファンをファンモータで回転駆動して、外箱１の背面側に設けられた吸気口から空気を吸い込み、この空気をヒータで加熱して、給気管５１及び給気口２６を介して水槽２内に温風を送る。これと共に、洗濯槽４内のパルセータ４１を間歇的に回転駆動して、洗濯物のほぐし動作を行う。これにより、水槽２内で洗濯物の水分が蒸発して湿り空気が生じ、この湿り空気を内蓋の排気口３３から水槽２外に排出する。このようにして、洗濯物の水分を蒸発させて乾燥運転を行うようになっている。なお、上記乾燥ユニット５は、ヒータに替えて、ヒートポンプで空気を加熱してもよい。
【００３３】
本実施形態の洗濯乾燥機は、洗濯物を洗濯槽４内に出し入れする際、開口部への洗濯物の引っ掛かりが防止される。また、洗濯槽４内の洗濯物の出し忘れが防止される。その理由を、以下、図２、３Ａ、３Ｂ及び４を参照しながら詳述する。
【００３４】
図２は、上記内蓋３１が取り付けられた水槽カバー２１を示す平面図であり、図３Ａは、上記内蓋３１を示す平面図であり、図３Ｂは、上記水槽カバー２１の前側部分を示す平面図である。図２、３Ａ及び３Ｂにおいて、紙面の下側が洗濯乾燥機の前側であり、紙面の上側が洗濯乾燥機の背面側である。
【００３５】
上記水槽カバー２１は、前側に大略半円形状の内開口部２４が形成されており、この内開口部２４の縁に沿って、パッキン２９が設けられている。水槽カバー２１の上記内開口部２４よりも背面側の部分には、図２に示すように、従来と同様に、給気管５１が連結される給気口２６と、給水管が連結される給水口２７が形成されている。また、上記内開口部２４の背面側の両端に、上記内蓋３１の回動軸３２ａが連結される２つの軸連結部２８が設けられている。
【００３６】
上記内蓋３１は、平面視において大略半円形状を有し、水槽２側に突出するフランジ３９が外縁に沿って形成されている。この内蓋３１の背面側の縁部の両端近傍には、２つの回動軸アーム３２，３２が設けられている。この回動軸アーム３２の先端に、上記水槽カバー２１の軸連結部に連結される回動軸３２ａが形成されている。この回動軸３２ａ回りに内蓋３１が回動して、上記内開口部２４を開閉するようになっている。この内蓋３１の前側の縁部の近傍には、開閉の操作の際に操作者に把持される把手３４が設けられている。
【００３７】
図４は、上記水槽カバー２１と内蓋３１の前側部分を拡大して示した縦断面図である。図４において、紙面の左側が洗濯乾燥機の前側であり、紙面の右側が洗濯乾燥機の背面側である。
【００３８】
図４に示すように、内蓋３１の上面側に、大略「ノ」の字状の把手３４が回動中心Ａ回りに回動自在に支持されている。この把手３４の前側の端部には、板状の駆動部材３４ａが一体に形成されている。この駆動部材３４ａは、把手３４の上記駆動部材３４ａが設けられた側とは反対側の端部が上方に回動する、すなわち、図４において左回り（反時計回り）に回動するにつれて、内蓋の貫通穴３１ａ内に挿入されるようになっている。この貫通穴３１ａは、内蓋３１の縁に近接して形成されている。
【００３９】
上記内蓋３１の下面側、すなわち、水槽２内を臨む側に、係止部材としての係止爪３５が回動中心Ａ回りに回動自在に支持されている。この係止爪３５は、回動中心Ａから遠ざかるように下方に延在する主部材と、回動中心Ａから遠ざかるように前側に突出した板部材３８とが一体に形成されている。上記主部材は、先端が前側に屈曲した鉤型に形成されており、この係止爪３５と一体に形成された板バネ３７によって先端向きに付勢されている。板部材３８は、上記板バネ３７の付勢力によって、上記内蓋の貫通穴３１ａを塞ぐようになっている。
【００４０】
図４に示すように、内蓋３１の下面側に設けられた係止爪３５が板バネ３７によって付勢され、この係止爪３５の先端が、水槽カバー２１の下面側、すなわち、水槽２内を臨む側に位置する内開口部２４の縁の角部に係止する。これにより、内蓋３１が水槽カバーの内開口部２４を閉じた状態が保持されて、水槽２が密閉される。また、上記内蓋の貫通穴３１ａは、上記板部材３８が板バネ３７の付勢力によって内蓋３１の下側面に当接することによって塞がれる。これにより、水槽２が安定して密閉される。
【００４１】
このように、係止部を構成する係止爪３５と内開口部２４の縁の角部を、内蓋３１の水槽２内を望む側に形成している。そして、上記内蓋３１の水槽２内を望む側に形成された係止爪３５を水槽２の外から操作するために必要な貫通穴３１ａを、係止爪３５の操作を行わない運転中には、板部材３８で塞いでいる。これにより、運転時に水槽２内から洗濯水やすすぎ水が、水槽カバーの係止に関する穴や隙間から水槽２外に漏れることを防止できる。
【００４２】
この洗濯乾燥機の運転の開始前又は終了後において、洗濯槽４に洗濯物を出し入れする場合、操作者によって把手３４が図３における左回り（反時計回り）に回動駆動される。これに伴って、駆動部材３４ａが貫通穴３１ａ内に挿入される方向に駆動されて、この駆動部材３４ａが板部材３８に当接して係止爪３５を回動中心Ａの図３における左回り（反時計回り）に回動させる。これにより、係止爪３５の先端が、内開口部２４の縁の角部から遠ざかり、この係止爪３５と内開口部２４の縁の角部との係止が解除される。これにより、内蓋３１の水槽カバー２１に対する係止が解除され、上記把手３４に操作者が与える上向きの力によって、内蓋３１が回動軸３２ａ回りに回動して、内開口部２４が開放される。
【００４３】
内開口部２４が開放されたとき、図３Ｂ及び４に示すように、水槽カバー２１の前側部分の内開口部２４の縁には、従来のような被係止部材が無い。したがって、この内開口部２４を通して洗濯物を出し入れするとき、洗濯物が被係止部材に引っ掛かる不都合が生じない。また、この水槽カバー２１の前側部分の内開口部２４の縁は、従来のように内側に弦状に張り出すことなく、洗濯槽４の開口部４５と略同心の円弧を描いている。これにより、従来のように内側に張り出した弦状の縁部によって、洗濯槽４内の視認性が悪化することが無い。したがって、洗濯槽４の底の前側に、例えば靴下等のような比較的小さい洗濯物が残留していても、この洗濯物を見落とすことなく視認できて、洗濯物の出し忘れを防止することができる。
【００４４】
また、図２及び４に示すように、上記水槽カバー２１の内開口部２４の縁の部分であって、上記係止爪３５によって係止される部分を、平面において、洗濯槽４の開口部４５よりも外側に形成できる。これにより、水槽カバー２１の内開口部２４と洗濯槽４の開口部４５とを通して洗濯槽４内に洗濯物を出し入れする作業を容易にでき、また、洗濯槽４内の視認性を効果的に向上できる。
【００４５】
上記実施形態において、内蓋の係止爪３５を、水槽カバーの内開口部２４の縁の角部に係止させたが、水槽カバー２１の下側面に、上記内開口部２４の縁に近接して突起部を設け、この突起部に係止爪３５を係止させてもよい。要は、内蓋３１を水槽カバー２１に係止させる係止部を、上記内蓋３１と水槽カバー２１の水槽２を臨む側に設ければよい。
【００４６】
また、本発明は、洗濯槽が鉛直軸回りに回転駆動される縦型の洗濯乾燥機に限定されず、洗濯槽が水平軸回りに回転駆動されるドラム式の洗濯乾燥機にも適用可能である。
【図面の簡単な説明】
【００４７】
【図１】洗濯乾燥機を示す模式断面図である。
【図２】本発明の実施形態の洗濯乾燥機が有する水槽カバー及び内蓋を示す平面図である。
【図３Ａ】内蓋を示す平面図である。
【図３Ｂ】水槽カバーの前側部分を示す平面図である。
【図４】水槽及び洗濯槽の上端部と、水槽カバー及び内蓋の前側部分とを拡大して示した縦断面図である。
【図５】従来の洗濯乾燥機の水槽カバー及び内蓋を示す平面図である。
【図６Ａ】従来の洗濯乾燥機の内蓋を示す平面図である。
【図６Ｂ】従来の洗濯乾燥機が有する水槽カバーの前側部分を示す平面図である。
【図７】従来の洗濯乾燥機が有する水槽カバー及び内蓋の前側部分を拡大して示した縦断面図である。
【符号の説明】
【００４８】
１  外箱
２  水槽
４  洗濯槽
１１  外開口部
１２  外蓋
２１  水槽カバー
２４  内開口部
３１  内蓋
３１ａ  貫通穴
３４  把手
３４ａ  駆動部材
３５  係止爪
３７  板バネ
３８  板部材
【図１】
2008036259.tif 000003
【図２】
2008036259.tif 000004
【図３Ａ】
2008036259.tif 000005
【図３Ｂ】
2008036259.tif 000006
【図４】
2008036259.tif 000007
【図５】
2008036259.tif 000008
【図６Ａ】
2008036259.tif 000009
【図６Ｂ】
2008036259.tif 000010
【図７】
2008036259.tif 000011